(57)【要約】【課題】携帯端末からネットワーク上のサイトに個人情報を送信する場合において、当該携帯端末の利用者による個人情報の入力を支援する方法を提供する。【解決手段】サーバ装置は第１の識別子を含む信号を携帯端末に送信し、携帯端末は、これを管理装置に転送し、管理装置は、第２の識別子を生成し、携帯端末の端末識別子及び生成した第２の識別子の組を保存し、サーバ装置に生成した第２の識別子及び第１の識別子を含む信号を送信し、サーバ装置より、保存している端末識別子及び第２の識別子の組と同一の組を受信した場合には、携帯端末の契約者情報を含む信号をサーバ装置に送信し、サーバ装置は、受信した契約者情報の所定の項目を含む画面を携帯端末に表示させる信号を携帯端末に送信する。【選択図】図２
2014038630.tif 000002
【特許請求の範囲】
【請求項１】
サーバ装置と、携帯端末の契約者情報及び前記サーバ装置のアカウント名を保持する携帯契約者管理装置とを備えたシステムであって、
前記サーバ装置は、
第１の識別子を生成する手段と、
前記第１の識別子及び前記アカウント名を含む信号を携帯端末に送信する手段と、
前記携帯端末の端末識別子を、前記第１の識別子に関連付けて保存する手段と、
前記携帯契約者管理装置から前記第１の識別子及び第２の識別子を含む信号を受信した場合、受信した前記第１の識別子に関連付けられている端末識別子及び前記第２の識別子を含む契約者情報要求信号を前記携帯契約者管理装置に送信する手段と、
前記携帯契約者管理装置から前記携帯端末の契約者情報を含む信号を受信した場合、前記契約者情報の所定の項目を含む画面を前記携帯端末に表示させる信号を、前記携帯端末に送信する手段と、
を備えており、
前記携帯契約者管理装置は、
第２の識別子を生成する手段と、
携帯端末から前記第１の識別子及び前記アカウント名を含む信号を受信した場合、受信した前記アカウント名から前記サーバ装置を判定し、前記携帯端末の端末識別子及び生成した前記第２の識別子の組を保存し、判定した前記サーバ装置に、生成した前記第２の識別子及び受信した前記第１の識別子を含む信号を送信する手段と、
前記サーバ装置から前記契約者情報要求信号を受信した場合、前記契約者情報要求信号に含まれる端末識別子及び第２の識別子の組と同一の組を保存しているか否かを判定し、保存している場合には、前記契約者情報要求信号に含まれる端末識別子に対応する携帯端末の契約者情報を含む信号を前記サーバ装置に送信する手段と、
を備えている、
システム。
【請求項２】
前記携帯契約者管理装置は、
携帯端末の端末識別子と、該携帯端末の利用者の前記サーバ装置への登録状況と、更新情報通知の可否についての情報を含む更新判定テーブルを保持する手段と、
前記サーバ装置から反復して受信する、該サーバ装置に登録している利用者に対応する携帯端末の端末識別子を含む信号に基づき更新判定テーブルの登録状況を更新する手段と、
前記サーバ装置から更新契約者情報要求信号を受信した場合、更新情報テーブルを含む更新契約者情報信号を前記サーバ装置に送信する手段と、
を備えており、
前記更新情報テーブルは、携帯端末の端末識別子と、該携帯端末の契約者情報の中で、前回の更新契約者情報信号送信後に変更された項目の変更後の値を含み、
前記更新情報テーブルに含まれる端末識別子は、前記サーバ装置に登録をし、かつ、更新情報通知が可能である携帯端末のものである、
請求項１に記載のシステム。
【請求項３】
前記契約者情報の所定の項目を含む画面を前記携帯端末に表示させる信号を受信した携帯端末において、前記所定の項目の少なくとも１つが修正可能である、
請求項１又は２に記載のシステム。
【請求項４】
携帯端末がサーバ装置に前記携帯端末の利用者の個人情報を送信する際における、前記個人情報の入力支援方法であって、
サーバ装置が、第１の識別子を生成し、生成した第１の識別子及び当該サーバ装置のアカウント名を含む信号を携帯端末に送信するステップと、
携帯端末が、サーバ装置から受信した前記第１の識別子及び前記アカウント名を含む信号を携帯契約者管理装置に送信するステップと、
前記携帯契約者管理装置が、携帯端末から受信したアカウント名から前記サーバ装置を判定し、第２の識別子を生成し、前記携帯端末の端末識別子及び生成した第２の識別子の組を保存し、判定した前記サーバ装置に、生成した第２の識別子及び携帯端末から受信した第１の識別子を含む信号を送信するステップと、
サーバ装置が、前記携帯契約者管理装置から受信した第１の識別子に基づき処理対象である前記携帯端末を判定し、判定した携帯端末の端末識別子及び携帯契約者管理装置から受信した第２の識別子を含む契約者情報要求信号を携帯契約者管理装置に送信するステップと、
前記携帯契約者管理装置が、受信した契約者情報要求信号に含まれる端末識別子及び第２の識別子の組と同一の組を保存しているか否かを判定し、保存している場合には、前記契約者情報要求信号に含まれる端末識別子に対応する携帯端末の契約者情報を含む信号をサーバ装置に送信するステップと、
サーバ装置が、契約者情報を含む信号を受信した場合、前記契約者情報の所定の項目を含む画面を携帯端末に表示させる信号を、前記判定した携帯端末に送信するステップと、
を備えている方法。
【発明の詳細な説明】
【技術分野】
【０００１】
本発明は、携帯端末に対する入力支援システムに関し、より詳しくは、ネットワーク上の携帯端末向けサイトに対して、携帯端末から個人情報を送信する場合に、当該携帯端末による当該個人情報の入力を支援するシステムに関する。
【背景技術】
【０００２】
インターネット上には、商品の販売や情報の提供を行うサイトが多数開設されており、これらのサイトにアクセスしてサイトが提供するサービスを受ける利用者も増加している。反復して商品を購入する利用者の管理や、商品購入の都度、商品送付先等の情報を利用者に入力させる手間の省略を目的とし、通常、これらサイトは、利用者の承諾を条件として、利用者の住所、電話番号、電子メールアドレスといった当該利用者の個人情報を保存し、後の利用時に使用している。
【先行技術文献】
【特許文献】
【０００３】
【特許文献１】特開２００３−３６３７０号公報
【発明の概要】
【発明が解決しようとする課題】
【０００４】
従来技術による方法においても少なくとも１回は、住所や電話番号といった様々な項目を携帯端末から入力してこれらサイトに送信する必要がある。しかしながら、携帯端末に実装できるキーパッド数の制限から、携帯端末による文字入力の操作性は快適ではなく、このことが、携帯端末によりネットワーク上のサイトにアクセスして、例えば、当該サイトの会員登録を行うことに対する障害となっている。
【０００５】
したがって、本発明は、携帯端末からネットワーク上のサイトに個人情報を送信する場合における、当該携帯端末の利用者による個人情報の入力を支援するシステム及び方法を提供することを目的とする。
【課題を解決するための手段】
【０００６】
本発明によるシステムによれば、
サーバ装置と、携帯端末の契約者情報及び前記サーバ装置のアカウント名を保持する携帯契約者管理装置とを備えたシステムであって、前記サーバ装置は、第１の識別子を生成する手段と、前記第１の識別子及び前記アカウント名を含む信号を携帯端末に送信する手段と、前記携帯端末の端末識別子を、前記第１の識別子に関連付けて保存する手段と、前記携帯契約者管理装置から前記第１の識別子及び第２の識別子を含む信号を受信した場合、受信した前記第１の識別子に関連付けられている端末識別子及び前記第２の識別子を含む契約者情報要求信号を前記携帯契約者管理装置に送信する手段と、前記携帯契約者管理装置から前記携帯端末の契約者情報を含む信号を受信した場合、前記契約者情報の所定の項目を含む画面を前記携帯端末に表示させる信号を、前記携帯端末に送信する手段とを備えており、前記携帯契約者管理装置は、第２の識別子を生成する手段と、携帯端末から前記第１の識別子及び前記アカウント名を含む信号を受信した場合、受信した前記アカウント名から前記サーバ装置を判定し、前記携帯端末の端末識別子及び生成した前記第２の識別子の組を保存し、判定した前記サーバ装置に、生成した前記第２の識別子及び受信した前記第１の識別子を含む信号を送信する手段と、前記サーバ装置から前記契約者情報要求信号を受信した場合、前記契約者情報要求信号に含まれる端末識別子及び第２の識別子の組と同一の組を保存しているか否かを判定し、保存している場合には、前記契約者情報要求信号に含まれる端末識別子に対応する携帯端末の契約者情報を含む信号を前記サーバ装置に送信する手段とを備えていることを特徴とする。
【０００７】
本発明によるシステムの他の実施形態によれば、
前記携帯契約者管理装置は、携帯端末の端末識別子と、該携帯端末の利用者の前記サーバ装置への登録状況と、更新情報通知の可否についての情報を含む更新判定テーブルを保持する手段と、前記サーバ装置から反復して受信する、該サーバ装置に登録している利用者に対応する携帯端末の端末識別子を含む信号に基づき更新判定テーブルの登録状況を更新する手段と、前記サーバ装置から更新契約者情報要求信号を受信した場合、更新情報テーブルを含む更新契約者情報信号を前記サーバ装置に送信する手段とを備えており、前記更新情報テーブルは、携帯端末の端末識別子と、該携帯端末の契約者情報の中で、前回の更新契約者情報信号送信後に変更された項目の変更後の値を含み、前記更新情報テーブルに含まれる端末識別子は、前記サーバ装置に登録をし、かつ、更新情報通知が可能である携帯端末のものであることも好ましい。
【０００８】
また、本発明によるシステムの他の実施形態によれば、
前記契約者情報の所定の項目を含む画面を前記携帯端末に表示させる信号を受信した携帯端末において、前記所定の項目の少なくとも１つが修正可能であることも好ましい。
【０００９】
本発明による方法によれば、
携帯端末がサーバ装置に前記携帯端末の利用者の個人情報を送信する際における個人情報の入力支援方法であって、サーバ装置が、第１の識別子を生成し、生成した第１の識別子及び当該サーバ装置のアカウント名を含む信号を携帯端末に送信するステップと、携帯端末が、サーバ装置から受信した前記第１の識別子及び前記アカウント名を含む信号を携帯契約者管理装置に送信するステップと、前記携帯契約者管理装置が、携帯端末から受信したアカウント名から前記サーバ装置を判定し、第２の識別子を生成し、前記携帯端末の端末識別子及び生成した第２の識別子の組を保存し、判定した前記サーバ装置に、生成した第２の識別子及び携帯端末から受信した第１の識別子を含む信号を送信するステップと、サーバ装置が、前記携帯契約者管理装置から受信した第１の識別子に基づき処理対象である前記携帯端末を判定し、判定した携帯端末の端末識別子及び携帯契約者管理装置から受信した第２の識別子を含む契約者情報要求信号を携帯契約者管理装置に送信するステップと、前記携帯契約者管理装置が、受信した契約者情報要求信号に含まれる端末識別子及び第２の識別子の組と同一の組を保存しているか否かを判定し、保存している場合には、前記契約者情報要求信号に含まれる端末識別子に対応する携帯端末の契約者情報を含む信号をサーバ装置に送信するステップと、サーバ装置が、契約者情報を含む信号を受信した場合、前記契約者情報の所定の項目を含む画面を携帯端末に表示させる信号を、前記判定した携帯端末に送信するステップとを備えていることを特徴とする。
【発明の効果】
【００１０】
サーバ装置に個人情報を送信する際に、携帯電話会社が運用する携帯契約者管理装置の契約者情報を利用し、これを携帯端末に送信することで、利用者は、必要な項目を修正するのみで当該サイトへ送信する個人情報を作成することができる。特に、ある携帯端末からの要求に応じて携帯契約者管理装置からサーバ装置へ送信した第２の識別子に対して、当該サーバ装置から第２の識別子及び当該携帯端末の端末識別子を含む信号を当該携帯契約者管理装置が受信した場合にのみ、当該携帯契約者管理装置が当該サーバ装置に当該携帯端末の契約者情報を送信することで、契約者情報が、悪意の第３者に配布されることを防ぐことができる。
【図面の簡単な説明】
【００１１】
【図１】本発明による入力支援システムの構成図である。
【図２】会員登録のシーケンス図である。
【図３】登録会員の通知に関するシーケンス図である。
【図４】会員の個人情報更新のシーケンス図である。
【図５】更新判定テーブルを示す図である。
【図６】更新情報テーブルを示す図である。
【図７】本発明による入力方法の利用確認画面を示す図である。
【図８】パスワード入力画面を示す図である。
【図９】会員の個人情報確認画面を示す図である。
【発明を実施するための形態】
【００１２】
本発明を実施するための形態について、以下では図面を用いて詳細に説明する。図１は、本発明による入力支援システムの構成図である。図１によると、入力支援システムは、携帯契約者管理装置１と、携帯端末２と、サーバ装置３１〜３ｎと、ネットワーク４１及び４２とを含んでいる。なお、携帯契約者管理装置１、携帯端末２及びサーバ装置３１〜３ｎは、ネットワーク４１及び／又は４２経由で互いに通信可能である。
【００１３】
ネットワーク４１は、携帯端末２に対して移動通信サービスを提供する携帯電話会社のネットワークであり、ネットワーク４２は、例えば、インターネットといった、ネットワーク４１の外部ネットワークである。サーバ装置３１から３ｎは、携帯端末２向けのサイトであり、ネットワーク４２と接続し、当該サイトの会員の個人情報を保存する機能を有している。
【００１４】
携帯契約者管理装置１は、ネットワーク４１を運営する携帯電話会社が保有し管理する装置であり、携帯端末２の利用者が移動通信サービスの利用に当たり、携帯電話会社に申請した契約者情報を、携帯端末２の端末識別子及び利用者が設定したパスワードに関連付けして保存している。なお、契約者情報は、当該利用者の氏名、氏名振り仮名、郵便番号、住所、電話番号、生年月日、性別、電子メールアドレス、並びに、携帯端末２の電話番号及び電子メールアドレスを含むものである。さらに、携帯契約者管理装置１は、サーバ装置３１から３ｎが提供しているサイトを識別するためのアカウント名と、そのサイト名と、サーバ装置３１から３ｎのＩＰアドレスを保持している。
【００１５】
以下、携帯端末２の利用者が、携帯端末２によりサーバ装置３１にアクセスし、サーバ装置３１が提供するサイトの会員登録を行う場合を例にして、本発明による入力支援システムの実施形態の説明を行う。図２は、会員登録のシーケンス図である。なお、図示しないが、携帯端末２の送信信号には、携帯端末２の端末識別子が常に含まれている。
【００１６】
携帯端末２が、サーバ装置３１に対して登録画面要求信号を送信すると、サーバ装置３１は、簡易入力利用案内画面信号を送信する（Ｓ２１）。この、簡易入力利用案内画面信号は、サーバ装置３１が、登録画面要求信号受信に応じて生成する、例えば、セッションＩＤといった、第１の識別子と、サーバ装置３１のアカウント名と、携帯契約者管理装置１へのアクセス情報を含んでいる。ここで、第１の識別子は、少なくとも図２の処理が終了する間、重複しない値であればよく、その生成方法は任意である。また、サーバ装置３１は、携帯端末２の端末識別子を、携帯端末２に送信した第１の識別子に関連付けて保存する。なお、簡易入力利用案内画面信号を受信した携帯端末２は、簡易入力を利用するか否かを選択する画面を表示するが、第１の識別子と、サーバ装置３１のアカウント名と、携帯契約者管理装置１へのアクセス情報については携帯端末２の画面には表示しない。
【００１７】
携帯端末２の利用者が、簡易入力を利用することを選択した場合、携帯端末２は、簡易入力利用案内画面信号に含まれていた携帯契約者管理装置１へのアクセス情報に従い、携帯契約者管理装置１に簡易入力利用通知信号を送信する。簡易入力利用通知信号は、第１の識別子と、サーバ装置３１のアカウント名を含んでいる。携帯契約者管理装置１は、受信した簡易入力利用通知信号に含まれるアカウント名が、保持しているアカウント名に含まれるか否かを確認することによりサーバ装置３１の認証を行う（Ｓ２２）。なお、含まれていない場合には、以後の処理を中止して、携帯端末２には処理の中止を通知する。なお、携帯契約者管理装置１に、サーバ装置３１から３ｎのドメイン名も保持させておき、アカウント名に加えて、簡易入力利用通知信号に含まれるサーバ装置３１のドメイン名もＳ２２における認証に利用する形態であっても良い。
【００１８】
含まれている場合、携帯契約者管理装置１は、簡易入力利用確認画面信号を携帯端末２に送信し、利用者の意思を再度確認する（Ｓ２３）。図７は、簡易入力利用確認画面を示す図である。
【００１９】
利用者が、簡易入力利用を確認した場合、つまり、図７の画面で"ＯＫ"を選択した場合、携帯端末２は、簡易入力利用確認信号を携帯契約者管理装置１に送信し、携帯契約者管理装置１は、簡易入力利用確認信号の受信により、パスワード入力画面信号を携帯端末２に送信する（Ｓ２４）。図８は、パスワード入力画面を示す図である。利用者がパスワード入力画面から、パスワードを入力して携帯契約者管理装置１に送信すると、携帯契約者管理装置１は、受信したパスワードと、当該パスワードを送信した携帯端末２の端末識別子の組合せが、保持している契約者情報のものと一致しているか否かを確認することにより、携帯端末２の利用者の認証を行う（Ｓ２５）。
【００２０】
携帯端末２の利用者の認証が正常に終了した場合、携帯契約者管理装置１は、例えば、トランザクションＩＤといった、第２の識別子を生成し、Ｓ２２で受信したアカウント名で特定されるサーバ装置３１に対して第１の識別子及び第２の識別子を含む識別子通知信号を送信する（Ｓ２６）。ここで、第２の識別子は、少なくとも図２の処理が終了する間、重複しない値であればよく、その生成方法は任意である。また、携帯契約者管理装置１は、生成した第２の識別子と、携帯端末２の端末識別子の組合せを保存しておく。なお、携帯端末２の利用者の認証が不成功であった場合には、携帯端末２に一致しない旨を通知して、再入力を促すか、処理を中止する。
【００２１】
識別子通知信号を受信したサーバ装置３１は、識別子通知信号に含まれる第１の識別子と、保存している第１の識別子と携帯端末の端末識別子の組により、どの携帯端末との登録処理に関するものであるかを特定すると共に、Ｓ２６で受信した第２の識別子と特定した携帯端末２の端末識別子を含む契約者情報要求信号を携帯契約者管理装置１に送信する（Ｓ２７）。
【００２２】
契約者情報要求信号を受信した携帯契約者管理装置１は、受信信号に含まれる第２の識別子及び携帯端末２の端末識別子が、識別子通知信号送信を送信した際に保存した組合せと同一であるか否かを判定することで、契約者情報要求の処理を認証し、同一である場合には、契約者情報要求信号に含まれる端末識別子に対応する携帯端末２の利用者の契約者情報の所定の項目をサーバ装置３１に送信する（Ｓ２８）。なお、このとき、サーバ装置３１のアカウント名も契約者情報要求信号に含め、アカウント名を含めた組合せの一致により認証を行う形態であっても良い。さらに、サーバ装置３１のＩＰアドレスが、携帯契約者管理装置１が保持しているサーバ装置３１のＩＰアドレスと同一であることや、認証機関が発行した証明書による認証を併用する形態であっても良い。なお、同一ではない場合には、サーバ装置３１にその旨を通知するか、サーバ装置３１に対して一切の応答を行わず、所定の期間が経過後に、携帯端末２に対して、処理が完了しなかった旨を通知する。さらに、携帯契約者管理装置１は、認証成功により契約者情報を送信した後や、識別子通知信号のサーバ装置への送信から一定期間以内に、当該サーバ装置から契約者情報要求信号を受信しない場合には、当該識別子通知信号の送信の際に保存した第２の識別子と携帯端末２の端末識別子の組合せを削除する。
【００２３】
契約者情報を受信したサーバ装置３１は、受信信号に含まれる契約者情報の各項目のうち、必要な項目を含んだ、登録個人情報確認画面信号を、携帯端末２に送信する（Ｓ２９）。図９は、登録個人情報確認画面信号を受信した携帯端末２が表示する画面である。
【００２４】
図９に示す様に、携帯端末２は、当該携帯端末利用者の個人情報が既に入力された画面を表示する。なお、この個人情報の総ての項目又は一部の項目については修正可能とし、携帯端末２の利用者が、必要に応じて項目の内容を修正できる様にする。なお、修正可能な項目については、例えば、登録個人情報確認画面信号において指定する。携帯端末２の利用者が必要な項目を修正した上で登録情報を作成し、図９に示す画面の"会員登録"を選択すると、携帯端末２は、登録情報通知信号をサーバ装置３１に送信し、サーバ装置３１は、受信した携帯端末２の個人情報を保存した後、携帯端末２に登録完了通知画面信号を送信する（Ｓ３０）。
【００２５】
以上、本発明においては、サイトに個人情報を送信する際に、携帯電話会社が運用する携帯契約者管理装置１の契約者情報を利用し、これを携帯端末２に送信することで、利用者は、必要な項目を修正するのみで当該サイトへ送信する個人情報を作成することができる。特に、ある携帯端末からの要求に応じてサーバ装置へ送信した第２の識別子に対して、当該サーバ装置から第２の識別子及び当該携帯端末の端末識別子を含む信号を受信した場合にのみ、当該サーバ装置に当該携帯端末の契約者情報を送信することで、契約者情報が、悪意の第３者に配布されることを防ぐことができる。
【００２６】
続いて、携帯端末２の利用者が契約者情報を更新した場合における、更新情報のサーバ装置３１から３ｎへの通知方法について説明する。携帯契約者管理装置１は、契約者情報の更新処理のために、図５に示す更新判定テーブルを管理している。更新判定テーブルは、携帯端末の端末識別子に対して、対応する携帯端末の利用者が登録しているサイト名と、契約者情報の更新通知を当該利用者が許諾しているか否かの情報と、当該携帯端末識別子の利用者が当該サイトの会員登録を維持しているか否かの情報を有している。例えば、図５において、端末識別子３ｘｘｘｘの携帯端末の利用者は、サイトＡＡＡに対して契約者情報の更新通知を許諾しており、かつ、サイトＡＡＡの会員登録を維持している。また、端末識別子４ｘｘｘｘの携帯端末の利用者は、サイトＢＢＢに対して契約者情報の更新通知を許諾していたが、サイトＢＢＢの会員登録については維持していない。さらに、端末識別子６ｘｘｘｘの携帯端末の利用者は、サイトＥＥＥに対して契約者情報の更新通知を許諾しており、かつ、サイトＥＥＥの会員登録を維持しているが、サイトＤＤＤに対しては、会員登録を維持しているが契約者情報の更新通知を許諾してはいない。
【００２７】
なお、契約者情報更新のサーバ装置３１への通知を行うか否かの選択は、例えば、図２のＳ２３における簡易入力利用確認画面にて選択し、Ｓ２４の簡易入力利用通知信号にて、携帯契約者管理装置１に通知する。また、それ以降における変更は、携帯端末２が携帯契約者管理装置１にアクセスして行うものとする。また、各サーバ装置３１〜３ｎは、図３に示す様に、自サイトに登録している会員の端末識別子を、例えば、１日１回等、反復して携帯契約者管理装置１に通知し、これにより、携帯契約者管理装置１は、更新判定テーブルを最新の状態に更新する。なお、携帯端末２の利用者は、登録しているサイトから脱会する場合には、登録しているサイトのサーバ装置に直接アクセスして脱会処理を行う。
【００２８】
図４は、会員情報更新のシーケンス図である。携帯端末２の利用者が、住所や携帯端末２のメールアドレスといった契約者情報を変更した場合、携帯契約者管理装置１は、契約者情報の更新を行う。また、サーバ装置３１は、携帯契約者管理装置１に対して更新契約者情報要求信号を、例えば、１日１回等、反復して送信し、携帯契約者管理装置１は、アカウント名、ＩＰアドレス、認証機関による証明書等によりサーバ装置３１を認証し、認証が成功した場合には、図６に示す更新情報テーブルを含む更新契約者通知信号をサーバ装置３１に送信する。更新情報テーブルは、端末識別子と、契約者情報の各項目を１つのレコードとするテーブルであり、テーブルに含まれる端末識別子は、サーバ装置３１が提供しているサイトの会員登録を維持しており、かつ、契約者情報の更新の通知を当該利用者が許可している携帯端末についてのものであり、携帯契約者管理装置１が更新判定テーブルに基づき判定を行う。
【００２９】
この更新情報テーブルは、図６に示す様に、前回送信時点から変更がない項目には値がなく、変更がある項目にのみ変更後の値を設定したものであり、サーバ装置３１は、更新情報テーブルに基づき会員情報を更新すると共に、会員として登録されている携帯端末の内、更新情報を受け取ることができる利用者を把握することができる。
【００３０】
なお、上述した実施形態においては、携帯契約者管理装置１や、サーバ装置３１を１つの装置としていたが、携帯契約者管理装置１や、サーバ装置３１は、それぞれ、複数の装置により構成されるものであっても良い。すなわち、例えば、携帯契約者管理装置１は、契約者情報を保存するデータベース装置と、携帯端末２及びサーバ装置３１との通信処理を行う制御装置で構成されており、データベース装置及び制御装置がネットワーク４１を介して情報の交換を行う形態であっても良い。
【符号の説明】
【００３１】
１  携帯契約者管理装置
２  携帯端末
３１〜３ｎ  サーバ装置
４１、４２  ネットワーク
【図１】
2014038630.tif 000003
【図２】
2014038630.tif 000004
【図３】
2014038630.tif 000005
【図４】
2014038630.tif 000006
【図５】
2014038630.tif 000007
【図６】
2014038630.tif 000008
【図７】
2014038630.tif 000009
【図８】
2014038630.tif 000010
【図９】
2014038630.tif 000011
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
サーバ装置と、端末装置の契約者情報及び前記サーバ装置のアカウント名を保持する携帯契約者管理装置に対して通信可能な端末装置であって、
前記サーバ装置で作成され端末装置の端末識別子と関連付けた第１の識別子及び前記アカウント名を含む信号を受信する手段と、
簡易入力利用の選択にともない、前記信号に含まれる前記携帯契約者管理装置へのアクセス情報に従った信号を前記携帯契約者管理装置に送信する手段と、
前記携帯契約者管理装置から送信される前記簡易入力利用の確認のための信号を受信する手段と、
を備えた端末装置。
【請求項２】
前記携帯契約者管理装置へ送信する信号は、第１の識別子及び前記アカウント名についての情報を含み、
前記確認のための信号は、ユーザの個人情報を含む
請求項１に記載の端末装置。
【請求項３】
端末装置の契約者情報及びサーバ装置のアカウント名を保持する携帯契約者管理装置に対して通信可能なサーバ装置であって、
第１の識別子を生成する手段と、
前記第１の識別子及び前記アカウント名を含む信号を端末装置に送信する手段と、
前記端末装置の端末識別子を、前記第１の識別子に関連付けて保存する手段と、
前記携帯契約者管理装置から、前記第１の識別子、及び、前記携帯契約者管理装置が生成する第２の識別子を含む信号を受信した場合、受信した前記第１の識別子に関連付けられている端末識別子及び前記第２の識別子を含む契約者情報要求信号を前記携帯契約者管理装置に送信する手段と、
前記携帯契約者管理装置から前記端末装置の契約者情報を含む信号を受信した場合、前記契約者情報の所定の項目を含む画面を前記端末装置に表示させる信号を、前記端末装置に送信する手段と、
を備えたサーバ装置。
【請求項４】
端末装置の契約者情報及びサーバ装置のアカウント名を保持する携帯契約者管理装置であって、
第２の識別子を生成する手段と、
携帯端末から、前記サーバ装置が生成する第１の識別子及び前記アカウント名を含む信号を受信した場合、受信した前記アカウント名から前記サーバ装置を判定し、前記端末装置の端末識別子及び生成した前記第２の識別子の組を保存し、判定した前記サーバ装置に、生成した前記第２の識別子及び受信した前記第１の識別子を含む信号を送信する手段と、
前記サーバ装置から前記契約者情報要求信号を受信した場合、前記契約者情報要求信号に含まれる端末識別子及び第２の識別子の組と同一の組を保存しているか否かを判定し、保存している場合には、前記契約者情報要求信号に含まれる端末識別子に対応する端末装置の契約者情報を含む信号を前記サーバ装置に送信する手段と、
を備えた携帯契約者管理装置。
【請求項５】
携帯端末の端末識別子と、該携帯端末の利用者の前記サーバ装置への登録状況と、更新情報通知の可否についての情報を含む更新判定テーブルを保持する手段と、
前記サーバ装置から反復して受信する、該サーバ装置に登録している利用者に対応する携帯端末の端末識別子を含む信号に基づき更新判定テーブルの登録状況を更新する手段と、
前記サーバ装置から更新契約者情報要求信号を受信した場合、更新情報テーブルを含む更新契約者情報信号を前記サーバ装置に送信する手段と、
を更に備え、
前記更新情報テーブルは、携帯端末の端末識別子と、該携帯端末の契約者情報の中で、前回の更新契約者情報信号送信後に変更された項目の変更後の値を含み、
前記更新情報テーブルに含まれる端末識別子は、前記サーバ装置に登録をし、かつ、更新情報通知が可能である端末装置のものである
請求項４に記載の携帯契約者管理装置。